(57)【要約】 【課題】  振動や衝撃、荷重に対して高い強度を得ることができ、剛性および耐久性に優れる段ボール製パレットを提供する。【解決手段】  段ボール製パレットを構成する支持ブロック２０は、第１支持体２１Ａおよび第２支持体２１Ｂを有する。第１支持体２１Ａは、頂板２２Ａと一対の第１側板２４Ａとを有し、第２支持体２１Ｂは、底板２２Ｂと一対の第２側板２４Ｂと一対の折り返し板２９とを有する。第１スリット２６Ａに折り返し板２９を嵌め込むと共に、第２スリット２６Ｂに第１側板２４Ａを嵌め込むことで、第１側板２４Ａと折り返し板２９とを互いに交差させ、頂板２２Ａおよび折り返し端部２５Ｂをデッキボード１２の底面１３に固定する。【選択図】図４
0003172501.tif 000002
【実用新案登録請求の範囲】
【請求項１】
積載面を有するデッキボードと、前記デッキボードの底面に配設される複数の支持ブロックとを有し、前記複数の支持ブロックの間にフォークリフトのフォークを挿入させる段ボール製パレットにおいて、
前記支持ブロックは、段ボールシートを折り曲げてなる第１支持体および第２支持体で構成され、
前記第１支持体は、略長方形状の第１基板と、一端が前記第１基板の辺部と略直角に連なり、他端が開放した一対の第１側板と、からなり、
前記第２支持体は、前記第１側板の幅より１辺の長さが大きい略正方形状の第２基板と、一端が前記第２基板の辺部と略直角に連なる一対の第２側板と、前記第２側板の他端から内向きに折れ曲がる一対の折り返し端部と、前記折り返し端部から前記第２側板の内面に沿うように折り返される一対の折り返し板と、からなり、
前記第１側板に、前記他端から中央に延びる一対の第１スリットを設け、前記折り返し端部および前記折り返し板に、前記折り返し端部から前記折り返し板の中央に延びる略Ｌ字状の一対の第２スリットを設け、
前記第１側板の他端と前記折り返し端部が向き合い、かつ、前記第１側板と前記折り返し板が平面視で直交するように、前記第１支持体と前記第２支持体とを対向させ、
前記第１スリットに前記折り返し板を嵌め込むと共に、前記第２スリットに前記第１側板を嵌め込むことで、前記第１側板と前記折り返し板とを互いに交差させ、
前記支持ブロックの前記第１基板側または前記第２基板側を前記デッキボードの底面に固定したことを特徴とする段ボール製パレット。
【請求項２】
前記複数の支持ブロックの底面を、段ボールシートからなる連結板で連結したことを特徴とする請求項１に記載の段ボール製パレット。
【請求項３】
前記第１支持体を構成する段ボールシートは、複数枚のライナー材と、前記複数枚のライナー材の間に介在する波型の中芯とからなり、
前記中芯の山と谷が並ぶ方向と直交する方向が前記第１側板の鉛直方向に向くように前記第１支持体を構成したことを特徴とする請求項１または２に記載の段ボール製パレット。
【請求項４】
前記第２支持体を構成する段ボールシートは、複数枚のライナー材と、前記複数枚のライナー材の間に介在する波型の中芯とからなり、
前記中芯の山と谷が並ぶ方向と直交する方向が前記第２側板の鉛直方向に向くように前記第２支持体を構成したことを特徴とする請求項１〜３のいずれかに記載の段ボール製パレット。
【請求項５】
前記第１支持体または前記第２支持体の少なくとも一方を、複両面段ボールで構成したことを特徴とする請求項１〜４のいずれかに記載の段ボール製パレット。
【考案の詳細な説明】
【技術分野】
【０００１】
本考案は、荷物の輸送や物流に使用される段ボール製パレットに関し、剛性および耐久性に優れるブロックを備えた段ボール製パレットに関するものである。
【背景技術】
【０００２】
近年、荷物の輸送や物流において、資材コストの低減あるいは環境保全の観点から、段ボール製パレットが実用に供されている。従来より、各種の段ボール製パレットが提案されている（たとえば、特許文献１参照）。
【０００３】
特許文献１に開示されるパレットは、積載面を有する上板（いわゆるデッキボード）と、接地面を有する下板と、上板と下板の間に介在する複数の抗圧ユニット体（いわゆるブロック）とを備える。複数の抗圧ユニット体は、格子点状に離間して配置されており、この離間部にフォークリフトのフォークを挿入させる。
【０００４】
図１１は、特許文献１に記載される抗圧ユニット体の基本構成を説明する図であり、図１１（ａ）に示すように、抗圧ユニット体１００は、第１板体１１０と第２板体１２０とから構成される。
【０００５】
第１板体１１０は、長方形状の頂上板１１１と、頂上板１１１の長辺１１２に連接する一対の側壁１１３とを有し、側壁１１３には、二本の第１嵌め込み槽１１４が設けられる。一方、第２板体１２０は、長方形状の底板１２１と、底板１２１の長辺１２２に連接する一対の側壁１２３とを有し、側壁１２３には、二本の第２嵌め込み槽１２４が設けられる。さらに、第２板体１２０の底板１２１の中央部には、正方形の透かし穴（貫通穴）１２５が設けられる。
【０００６】
抗圧ユニット体１００では、頂上板１１１と底板１２１とを対向させ、透かし穴１２５に頂上板１１１の中央部を通しつつ、側壁１１３を第２嵌め込み槽１２４に嵌め、同時に側壁１２３を第１嵌め込み槽１１４に嵌める。これにより、図１１（ｂ）に示すように、側壁１１３と側壁１２３とを交差させて第１板体１１０と第２板体１２０を組み合わせる。交差した側壁１１３，１２３で荷重を受けることで、抗圧ユニット体１００の耐圧性能を高めるようにしている。
【先行技術文献】
【特許文献】
【０００７】
【特許文献１】実用新案登録第３０６３４０２号公報
【考案の概要】
【考案が解決しようとする課題】
【０００８】
しかしながら、特許文献１の抗圧ユニット体１００においては、構造上、透かし穴１２５を必要とするため、十分な耐久性や剛性を得ることが難しい。すなわち、図１１（ｂ）に示すように、剛性を確保するうえで重要な底板１２１の中央部が、透かし穴１２５により完全に抜けた形態となる。このため、特に水平方向、斜め方向の振動、衝撃、荷重に対して十分な強度を確保できないおそれがある。
【０００９】
そこで、本考案は、このような事情に鑑みてなされたものであり、その目的は、剛性および耐久性に優れ、特に、水平方向や斜め方向の振動、衝撃、荷重に対して高い強度を得ることができる段ボール製パレットを提供することにある。
【課題を解決するための手段】
【００１０】
本考案の段ボール製パレットは、積載面を有するデッキボードと、前記デッキボードの底面に配設される複数の支持ブロックとを有し、前記複数の支持ブロックの間にフォークリフトのフォークを挿入させる段ボール製パレットにおいて、前記支持ブロックは、段ボールシートを折り曲げてなる第１支持体および第２支持体で構成され、前記第１支持体は、略長方形状の第１基板と、一端が前記第１基板の辺部と略直角に連なり、他端が開放した一対の第１側板と、からなり、前記第２支持体は、前記第１側板の幅より１辺の長さが大きい略正方形状の第２基板と、一端が前記第２基板の辺部と略直角に連なる一対の第２側板と、前記第２側板の他端から内向きに折れ曲がる一対の折り返し端部と、前記折り返し端部から前記第２側板の内面に沿うように折り返される一対の折り返し板と、からなり、前記第１側板に、前記他端から中央に延びる一対の第１スリットを設け、前記折り返し端部および前記折り返し板に、前記折り返し端部から前記折り返し板の中央に延びる略Ｌ字状の一対の第２スリットを設け、前記第１側板の他端と前記折り返し端部が向き合い、かつ、前記第１側板と前記折り返し板が平面視で直交するように、前記第１支持体と前記第２支持体とを対向させ、前記第１スリットに前記折り返し板を嵌め込むと共に、前記第２スリットに前記第１側板を嵌め込むことで、前記第１側板と前記折り返し板とを互いに交差させ、前記支持ブロックの前記第１基板側または前記第２基板側を前記デッキボードの底面に固定したことを特徴とする。
【００１１】
上記考案は、前記複数の支持ブロックの底面を、段ボールシートからなる連結板で連結したことを特徴とする。
上記考案では、前記第１支持体を構成する段ボールシートは、複数枚のライナー材と、前記複数枚のライナー材の間に介在する波型の中芯とからなり、前記中芯の山と谷が並ぶ方向と直交する方向が前記第１側板の鉛直方向に向くように前記第１支持体を構成したことを特徴とする。
上記考案では、前記第２支持体を構成する段ボールシートは、複数枚のライナー材と、前記複数枚のライナー材の間に介在する波型の中芯とからなり、前記中芯の山と谷が並ぶ方向と直交する方向が前記第２側板の鉛直方向に向くように前記第２支持体を構成したことを特徴とする。
上記考案は、前記第１支持体または前記第２支持体の少なくとも一方を、複両面段ボールで構成したことを特徴とする。
【考案の効果】
【００１２】
本考案によれば、２枚の基板、４枚の側板、２枚の折り返し板からなる８枚の壁により、底が抜けていない強固な支持ブロックを得ることができる。したがって、剛性および耐久性に優れ、特に水平方向、斜め方向の振動、衝撃、荷重に対して高い強度を得ることができる段ボール製パレットを提供することができる。
【００１３】
加えて、第１側板を折り返し板に嵌め込むようにしたので、第１側板が第２支持体の中に収まる。これにより、第１側板の側端部が第２支持体からはみ出すことが無く、フォークリフトのフォークに対する強度を高めることができる。
【図面の簡単な説明】
【００１４】
【図１】本考案の実施形態にかかる段ボール製パレットの斜視図である。
【図２】図１のＡ矢視図であり、段ボール製パレットの底面図である。
【図３】段ボール製パレットの底面側から見た斜視図である。
【図４】段ボール製パレットの分解斜視図である。
【図５】デッキボードを説明する図であり、（ａ）は平面図、（ｂ）は底面図である。
【図６】段ボールシートを説明する図であり、（ａ）は第１支持体を構成する段ボールシートの展開図、（ｂ）は第２支持体を構成する段ボールシートの展開図、（ｃ）は連結板を構成する段ボールシートの平面図である。
【図７】図６のＣ−Ｃ線断面図である。
【図８】支持ブロックの組み立て工程を説明する図であり、（ａ）は支持ブロックの分解斜視図、（ｂ）は支持ブロックの斜視図、（ｃ）は支持ブロック、凹部、連結板の斜視図である。
【図９】（ａ）は図１のＢ−Ｂ線断面図、（ｂ）は従来の抗圧ユニット体の断面図である。
【図１０】比較例の支持ブロックの構成を説明する図であり、（ａ）は支持ブロックの分解斜視図、（ｂ）は支持ブロックの斜視図である。
【図１１】従来の抗圧ユニット体の基本構成を説明する図であり、（ａ）は抗圧ユニット体の分解斜視図、（ｂ）は抗圧ユニット体の斜視図である。
【考案を実施するための形態】
【００１５】
以下、添付図面を参照して、本考案を実施するための形態（以下、実施形態）について詳細に説明する。なお、実施形態の説明の全体を通して同じ要素には同じ番号を付している。
【００１６】
図１に示すように、本考案にかかる実施形態の段ボール製パレット１０は、積載面１１を有する略正方形のデッキボード１２と、デッキボード１２の底面に所定の間隔で離間して配置され、この離間部１４にフォークリフトのフォークＦを挿入させる複数の支持ブロック２０と、複数の支持ブロック２０の底面を連結する連結板１６と、を有する。
【００１７】
図２および図３に示すように、複数（ここでは整列された９個）の支持ブロック２０は、デッキボード１２の底面１３において、所定の間隔Ｐで格子点状に配置される。これにより、パレット１０は、フォークリフトのフォークＦを四方向から差し込み可能なパレット（いわゆる四方差しパレット）として構成される。主要寸法を例示すると、パレット１０の幅Ｗ１は１１００ｍｍ、支持ブロック２０の幅Ｗ２は１５０ｍｍ、間隔Ｐは３０５ｍｍである。また、連結板１６は、整列した複数の支持ブロック２０を列毎に連結する。ここでは、列の数に応じて３枚の連結板１６が使用される。これら３枚の連結板１６は、平行に並べられ、各々が３個の支持ブロック２０を連結する。
【００１８】
図４に示すように、支持ブロック２０は、段ボールシートを折り曲げてなる第１支持体２１Ａおよび第２支持体２１Ｂで構成される。
【００１９】
第１支持体２１Ａは、略長方形状（ここでは略正方形）の頂板（第１基板）２２Ａと、一端が頂板２２Ａの辺部２３Ａと略直角に連なり、他端２５Ａが開放した一対の第１側板２４Ａとからなる。頂板２２Ａの幅Ｗ３は、第１側板２４Ａの幅Ｗ４よりも小さく設定される。一対の第１側板２４Ａのそれぞれには、他端２５Ａから鉛直方向に沿って中央付近まで延びる一対の第１スリット２６Ａが設けられる。また、他端２５Ａの中央位置には、差し込み片２７Ａが突出して設けられる。
【００２０】
第２支持体２１Ｂは、第１側板２４Ａの幅Ｗ４よりも１辺の長さＬ１が大きい略正方形状の底板（第２基板）２２Ｂと、一端が底板２２Ｂの辺部２３Ｂと略直角に連なる一対の第２側板２４Ｂとを有する。また、第２支持体２１Ｂは、第２側板２４Ｂの他端から内向きに折れ曲がる一対の折り返し端部２５Ｂと、折り返し端部２５Ｂから第１側板２４Ａの内面に沿うように折り返される一対の折り返し板２９とを有する。一対の折り返し板２９の離間長さＬ２は、頂板２２Ａの幅Ｗ３と同程度またはそれ以上の大きさに設定される。折り返し端部２５Ｂおよび折り返し板２９には、折り返し端部２５Ｂから折り返し板２９の中央に延びる略Ｌ字状の一対の第２スリット２６Ｂが設けられる。さらに、底板２２Ｂには、一対の差し込み穴２８Ｂ１が形成される。
【００２１】
デッキボード１２は、図５（ａ）に示すように、平坦な積載面１１を上面に有する一方、図５（ｂ）に示すように、底面１３は、支持ブロック２０（図４参照）を固定するための複数の凹部１５を有する。凹部１５の内形は、支持ブロック２０上端部の形態（頂板２２Ａと一対の折り返し端部２５Ｂとを合わせた形態）と同じ形状であり、略Ｈ字状を呈する。
【００２２】
なお、デッキボード１２の構成は、片面段ボール、両面段ボール、複両面段ボール、あるいは、これらの段ボールを組合せた積層体のいずれでもよく、任意の構成から選択可能である。また、凹部１５は、底面１３側の段ボールに貫通穴を設け、底から２枚目の段ボールで貫通穴を塞ぐようにした構成、あるいは、底面を潰して凹ませた構成など、任意の構成から選択可能である。
【００２３】
図６（ａ）に示すように、第１支持体２１Ａ（図４参照）を構成する段ボールシートＳ１は、複数枚のライナー材３２と、複数枚のライナー材３２の間に介在する波型の中芯３３とからなり、打ち抜き加工により成形される。辺部２３Ａには、折り曲げ線（罫線）が設けられており、この折り曲げ線に沿って、段ボールシートＳ１は略コの字形に折り曲げ成形される。中芯３３は、コルゲータにより波型に成形される。段ボールシートＳ１では、第１側板２４Ａの鉛直向き（矢印（１）で示す方向）が、中芯３３の山と谷が並ぶ方向と直交する方向となるように設定される。これにより、第１側板２４Ａでは、パレット１０の使用状態において、中芯３３の山と谷が水平方向に並ぶため、鉛直方向の圧縮荷重に対する強度を高めることができる。
【００２４】
図６（ｂ）に示すように、第２支持体２１Ｂ（図４参照）を構成する段ボールシートＳ２は、複数枚のライナー材３２と、複数枚のライナー材３２の間に介在する波型の中芯３３とからなり、打ち抜き加工により成形される。中芯３３は、コルゲータにより波型に成形される。段ボールシートＳ２では、第２側板２４Ｂの鉛直向き（矢印（１）で示す方向）が、中芯３３の山と谷が並ぶ方向と直交する方向となるように設定される。これにより、第２側板２４Ｂおよび折り返し板２９では、第１側板２４Ａと同様に、パレット１０の使用状態において、中芯３３の山と谷が水平方向に並ぶため、鉛直方向の圧縮荷重に対する強度を高めることができる。
【００２５】
辺部２３Ｂには、折り曲げ線（罫線）ａが設けられる。この罫線ａに沿って、第２側板２４Ｂの一端が折り曲げられる。また、第２側板２４Ｂの他端には、罫線ｂが設けられ、この罫線ｂに沿って、折り返し端部２５Ｂの一端が折り曲げられる。さらに、折り返し端部２５Ｂの他端には、罫線ｄが設けられ、この罫線ｄに沿って、折り返し板２９の一端が折り曲げられる。折り返し板２９の他端には、差し込み片２７Ｂが設けられる。差し込み片２７Ｂは、折り返し板２９が折り返された後、底板２２Ｂの差し込み穴２８Ｂ２に差し込まれる。
【００２６】
また、第２スリット２６Ｂにおいて、折り返し端部２５Ｂにおける幅Ｗ５は、折り返し板２９における幅Ｗ６よりも大きく設定される。これにより、組み立て時に、第１側板２４Ａを第２スリット２６Ｂに挿入し易くしている。
【００２７】
図６（ｃ）に示すように、連結板１６を構成する段ボールシートＳ３は、複数枚のライナー材３２と、複数枚のライナー材３２の間に介在する波型の中芯３３とからなる。連結板１６の幅Ｗ７は、底板２２Ｂの１辺の長さＬ１（図４参照）と略同じに設定される。
【００２８】
図７に示すように、段ボールシートＳ１，Ｓ２，Ｓ３は、たとえば、複両面段ボールで構成される。複両面段ボールは、両面段ボール３４の片側に片面段ボール３５を貼り付けたものである。複両面段ボールで支持ブロック２０あるいは連結板１６を構成すれば、パレット１０の剛性をより高めることができる。
【００２９】
なお、段ボールシートＳ１，Ｓ２，Ｓ３は、複両面段ボールに限られるものではなく、求められる品質に応じて、片面段ボール、両面段ボール、複両面段ボール、あるいは、これらの組み合わせから任意に選択可能である。
【００３０】
次に、支持ブロック２０の組み立て工程を図８に基づいて説明する。
先ず、打ち抜き加工された段ボールシートＳ１，Ｓ２（図６参照）を折り曲げて第１支持体２１Ａおよび第２支持体２１Ｂを用意する。次に、図８（ａ）に示すように、第１側板２４Ａの他端２５Ａと折り返し端部２５Ｂが向き合い、かつ、第１側板２４Ａと折り返し板２９が平面視で直交するように、第１支持体２１Ａに第２支持体２１Ｂを対向させる。そして、第１スリット２６Ａに折り返し板２９を嵌め込むと共に、第２スリット２６Ｂに第１側板２４Ａを嵌め込む。同時に、差し込み片２７Ａを差し込み穴２８Ｂ１に挿入する（矢印（２））。このとき、頂板２２Ａは、一対の折り返し板２９の間に嵌まり、かつ、折り返し端部２５Ｂと同じ高さに位置する。結果、図８（ｂ）に示すように、第１支持体２１Ａが第２支持体２１Ｂに収納された形態の支持ブロック２０が得られる。
【００３１】
次に、図８（ｃ）に示すように、支持ブロック２０を上下に反転させ、頂板２２Ａおよび折り返し端部２５Ｂを凹部１５に嵌め合わせ、接着する（矢印（３））。これにより、支持ブロック２０がデッキボード１２の底面１３に固定される。そして、連結板１６を底板２２Ｂに載せ、接着する（矢印（４））。これで、段ボール製パレットの組み立てが完了する。
【００３２】
以上、説明した本考案にかかる実施形態の段ボール製パレット１０によれば、図９（ａ）に示すように、頂板２２Ａ、底板２２Ｂ、４枚の側板２４Ａ，２４Ｂおよび２枚の折り返し板２９からなる８枚の段ボールの壁で、強固な支持ブロック２０を得ることができる。したがって、剛性を確保するうえで重要な底板２２Ｂの中央部（符号３７で示す範囲）にしっかりと段ボールの壁が存在する。
【００３３】
これに対して、従来の抗圧ユニット体１００（図１１参照）では、次のような構造となる。図９（ｂ）は、上板１３０の底面に固定した従来の抗圧ユニット体の断面図である。図９（ｂ）に示すように、抗圧ユニット体１００では、透かし穴によって底板１２１の中央部（符号１２１ａで示す範囲）が完全に抜けており、特に非鉛直方向の振動や衝撃に弱く、十分な剛性の確保が困難である。
【００３４】
この点、本実施形態では、底板２２Ｂの中央部（符号３７で示す範囲）にしっかりと段ボールの壁が存在するので、矢印（５）で示す水平方向や、矢印（６）、（７）で示す斜め方向の振動、衝撃、荷重に対して高い強度を得ることができる。
【００３５】
また、本実施形態では、第２側板２４Ｂの内側に折り返し板２９を設けたので、支持ブロック２０の側壁が二重構造となる。このため、より一層高い強度を得ることができる。よって、剛性および耐久性に優れる段ボール製パレットを提供することができる。
【００３６】
さらに、底板２２Ｂを連結板１６で連結したので、支持ブロック２０の剛性が一層高まる。したがって、段ボール製パレットの剛性および耐久性を一層高めることができる。
【００３７】
加えて、本実施形態では、略正方形状の底板２２Ｂの１辺の長さＬ１を第１側板２４Ａの幅Ｗ４より大きく設定し、第１側板２４Ａを折り返し板２９に嵌め込むようにしたので、第１側板２４Ａが一対の第２側板２４Ｂの間に収まる。これにより、第１側板２４Ａの側端部が、第２支持体２１Ｂからはみ出さない。
【００３８】
ここで、断面略コの字状の一対の支持板を組み合わせた場合を考える。図１０は、比較例の支持ブロックの構成を示す図である。図１０（ａ）に示すように、この支持ブロックは、第１支持板５１Ａおよび第２支持板５１Ｂを有する。第１支持板５１Ａは、略長方形状の頂板５２Ａと一対の第１側板５４Ａとからなり、第２支持板５１Ｂは、略長方形状の底板５２Ｂと一対の第２側板５４Ｂとからなる。組み立て工程では、第１スリット５６Ａに第２側板５４Ｂを嵌め込むと共に、第２スリット５６Ｂに第１側板５４Ａを嵌め込む。これにより、図１０（ｂ）に示すように、第１支持板５１Ａと第２支持板５１Ｂからなる略箱状の支持ブロック５０が得られる。
【００３９】
支持ブロック５０では、第１側板５４Ａと第２側板５４Ｂとが互いに直交するため、第１側板５４Ａおよび第２側板５４Ｂのそれぞれの側端部５７Ａ、５７Ｂがはみ出す。このようにはみ出した側端部５７Ａ、５７Ｂは、剛性が高くない。よって、フォークリフトのフォークから受ける衝撃を考慮すると、側端部５７Ａ、５７Ｂは、無い方が望ましい。
【００４０】
この点、本実施形態では、このような側端部が無い。結果、フォークリフトのフォークに対する強度をより高めた支持ブロック２０を得ることができる。
【００４１】
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。またその様な変更または改良を加えた形態も本考案の技術的範囲に含まれ得ることが、実用新案登録請求の範囲の記載から明らかである。
【００４２】
たとえば、実施形態では、第１支持体を上に配置し、第２支持体を下に配置したが、第２支持体を上に配置し、第１支持体を下に配置してもよい。この場合、本考案にかかる第２基板（実施形態では底板２２Ｂ）をデッキボードの底面に固定する。
【符号の説明】
【００４３】
Ｆ  フォーク
Ｌ１  １辺の長さ
Ｓ１、Ｓ２  段ボールシート
Ｗ４  第１側板の幅
１０  段ボール製パレット
１１  積載面
１２  デッキボード
１３  底面
１６  連結板
２０  支持ブロック
２１Ａ  第１支持体
２１Ｂ  第２支持体
２２Ａ  頂板（第１基板）
２３Ａ  辺部
２４Ａ  第１側板
２５Ａ  他端
２６Ａ  第１スリット
２２Ｂ  底板（第２基板）
２３Ｂ  辺部
２４Ｂ  第２側板
２５Ｂ  折り返し端部
２６Ｂ  第２スリット
２９  折り返し板
３２  ライナー材
３３  中芯
【図１】
0003172501.tif 000003
【図２】
0003172501.tif 000004
【図３】
0003172501.tif 000005
【図４】
0003172501.tif 000006
【図５】
0003172501.tif 000007
【図６】
0003172501.tif 000008
【図７】
0003172501.tif 000009
【図８】
0003172501.tif 000010
【図９】
0003172501.tif 000011
【図１０】
0003172501.tif 000012
【図１１】
0003172501.tif 000013